【手続補正書】
【提出日】平成16年7月27日(2004.7.27)
【手続補正１】
【補正対象書類名】明細書
【補正対象項目名】特許請求の範囲
【補正方法】変更
【補正の内容】
【特許請求の範囲】
【請求項１】
被験者の外部皮膚に電極対を接触し、その電極対間の生体電気インピーダンスを測定し、該測定された生体電気インピーダンス値と被験者の体型に関する少なくとも一つの指標から被験者の卵の発育指数を算出し、算出された被験者の卵の発育指数と月経周期の経過日数に応じた基準となる卵の発育指数を比較することで被験者の卵の発育状態が良好であるかを判定する卵の発育状態判定方法。
【請求項２】
被験者の外部皮膚に電極対を接触し、複数の周波数の交流電流を用いてその電極対間の生体電気インピーダンスを測定し、該測定された生体電気インピーダンス値と被験者の体型に関する少なくとも一つの指標から被験者の卵の発育指数を算出し、算出された被験者の卵の発育指数と月経周期の経過日数に応じた基準となる卵の発育指数を比較することで被験者の卵の発育状態が良好であるかを判定する卵の発育状態判定方法。
【請求項３】
被験者の外部皮膚に電極対を接触し、その電極対間の生体電気インピーダンスを測定し、該測定された生体電気インピーダンス値と月経周期における高温期と低温期の関係に基づく過去に測定された被験者の相対期における生体電気インピーダンス値とを比較することで被験者の卵の発育状態が良好であるかを判定する卵の発育状態判定方法。
【請求項４】
前記月経周期の経過日数に応じた基準となる卵の発育指数を被験者の年齢に応じて変更する請求項１または２に記載の卵の発育状態判定方法。
【請求項５】
前記被験者の体型に関する少なくとも一つの指標は身長であることを特徴とする請求項１または２または４のいずれか１項に記載の卵の発育状態判定方法。
【請求項６】
前記被験者の体型に関する少なくとも一つの指標は体重であることを特徴とする請求項１または２または４のいずれか１項に記載の卵の発育状態判定方法。
【請求項７】
前記被験者の体型に関する少なくとも一つの指標は体格指数であることを特徴とする請求項１または２または４のいずれか１項に記載の卵の発育状態判定方法。
【請求項８】
被験者の体型に関する少なくとも一つの指標を入力する入力手段と、
被験者の外部皮膚に接触する電極対と、
その電極対間の生体電気インピーダンスを測定するためのインピーダンス測定手段と、
測定された生体電気インピーダンスと被験者の体型に関する指標から被験者の卵の発育指数を算出する演算手段と、
算出された被験者の卵の発育指数と月経周期の経過日数に応じた基準となる卵の発育指数とを比較する比較手段と、
比較結果に基づいて被験者の卵の発育状態を推定する推定手段と、
推定手段からの卵の発育状態に関する結果を報知する報知手段とを備える卵の発育状態判定装置。
【請求項９】
被験者の体型に関する少なくとも一つの指標を入力する入力手段と、
被験者の外部皮膚に接触する電極対と、
複数の周波数の交流電流を用いてその電極対間の生体電気インピーダンスを測定するためのインピーダンス測定手段と、
測定された生体電気インピーダンスと被験者の体型に関する指標から被験者の卵の発育指数を算出する演算手段と、
算出された被験者の卵の発育指数と月経周期の経過日数に応じた基準となる卵の発育指数とを比較する比較手段と、
比較結果に基づいて被験者の卵の発育状態を推定する推定手段と、
推定手段からの卵の発育状態に関する結果を報知する報知手段とを備える卵の発育状態判定装置。
【請求項１０】
被験者の外部皮膚に接触する電極対と、
その電極対間の生体電気インピーダンスを測定するためのインピーダンス測定手段と、
測定された生体電気インピーダンスを記憶しておく記憶手段と、
現在の生体電気インピーダンスと記憶手段に記憶された過去の相対期における生体電気インピーダンスとを比較する比較手段と、
比較結果に基づいて被験者の卵の発育状態を推定する推定手段と、
推定手段からの卵の発育状態に関する結果を報知する報知手段とを備える卵の発育状態判定装置。
【請求項１１】
前記基準となる体水分貯留に関する値を前記入力手段から入力された被験者の年齢に応じて変更する請求項８または９に記載の卵の発育状態判定装置。
【請求項１２】
更に測定された生体電気インピーダンスを記憶しておく記憶手段を備え、推定されたホルモンの状態が良好であった場合には、測定された現在の生体電気インピーダンスと月経周期における高温期と低温期の関係に基づく記憶手段に記憶された相対期における過去の生体電気インピーダンスとを比較する比較手段を備え、この比較結果も考慮して卵の発育状態を推定する請求項８に記載の卵の発育状態判定装置。
【請求項１３】
前記被験者の体型に関する少なくとも一つの指標は身長であることを特徴とする請求項７または８または１１または１２のいずれか１項に記載の卵の発育状態判定装置。
【請求項１４】
前記被験者の体型に関する少なくとも一つの指標は体重であることを特徴とする請求項７または８または１１または１２のいずれか１項に記載の卵の発育状態判定装置。
【請求項１５】
前記被験者の体型に関する少なくとも一つの指標は体格指数であることを特徴とする請求項７または８または１１または１２のいずれか１項に記載の卵の発育状態判定装置。
【請求項１６】
更に被験者の体重を測定する体重測定手段を備え、測定された体重を前記被験者の体型に関する指標として用いることを特徴とする請求項１４に記載の卵の発育状態判定装置。
【請求項１７】
前記卵の発育指数は細胞外液抵抗と細胞内液抵抗との比であることを特徴とする請求項９に記載の卵の発育状態判定装置。
【手続補正２】
【補正対象書類名】明細書
【補正対象項目名】０００９
【補正方法】変更
【補正の内容】
【０００９】
【課題を解決するための手段】
本発明の卵の発育状態判定方法は、被験者の外部皮膚に電極対を接触し、その電極対間の生体電気インピーダンスを測定し、該測定された生体電気インピーダンス値と被験者の体型に関する少なくとも一つの指標から被験者の卵の発育指数を算出し、算出された被験者の卵の発育指数と月経周期の経過日数に応じた基準となる卵の発育指数を比較することで被験者の卵の発育状態が良好であるかを判定する。
【手続補正３】
【補正対象書類名】明細書
【補正対象項目名】００１０
【補正方法】変更
【補正の内容】
【００１０】
また本発明の卵の発育状態判定方法は、被験者の外部皮膚に電極対を接触し、複数の周波数の交流電流を用いてその電極対間の生体電気インピーダンスを測定し、該測定された生体電気インピーダンス値と被験者の体型に関する少なくとも一つの指標から被験者の卵の発育指数を算出し、算出された被験者の卵の発育指数と月経周期の経過日数に応じた基準となる卵の発育指数を比較することで被験者の卵の発育状態が良好であるかを判定する。
【手続補正４】
【補正対象書類名】明細書
【補正対象項目名】００１１
【補正方法】変更
【補正の内容】
【００１１】
また本発明の卵の発育状態判定方法は、被験者の外部皮膚に電極対を接触し、その電極対間の生体電気インピーダンスを測定し、該測定された生体電気インピーダンス値と月経周期における高温期と低温期の関係に基づく過去に測定された被験者の相対期における生体電気インピーダンス値とを比較することで被験者の卵の発育状態が良好であるかを判定する。
【手続補正５】
【補正対象書類名】明細書
【補正対象項目名】００１６
【補正方法】変更
【補正の内容】
【００１６】
また本発明の卵の発育状態判定装置は、被験者の体型に関する少なくとも一つの指標を入力する入力手段と、被験者の外部皮膚に接触する電極対と、その電極対間の生体電気インピーダンスを測定するためのインピーダンス測定手段と、測定された生体電気インピーダンスと被験者の体型に関する指標から被験者の卵の発育指数を算出する演算手段と、算出された被験者の卵の発育指数と月経周期の経過日数に応じた基準となる卵の発育指数とを比較する比較手段と、比較結果に基づいて被験者の卵の発育状態を推定する推定手段と、推定手段からの卵の発育状態に関する結果を報知する報知手段とを備える。
【手続補正６】
【補正対象書類名】明細書
【補正対象項目名】００１７
【補正方法】変更
【補正の内容】
【００１７】
また本発明の卵の発育状態判定装置は、被験者の体型に関する少なくとも一つの指標を入力する入力手段と、被験者の外部皮膚に接触する電極対と、複数の周波数の交流電流を用いてその電極対間の生体電気インピーダンスを測定するためのインピーダンス測定手段と、測定された生体電気インピーダンスと被験者の体型に関する指標から被験者の卵の発育指数を算出する演算手段と、算出された被験者の卵の発育指数と月経周期の経過日数に応じた基準となる卵の発育指数とを比較する比較手段と、比較結果に基づいて被験者の卵の発育状態を推定する推定手段と、推定手段からの卵の発育状態に関する結果を報知する報知手段とを備える。
【手続補正７】
【補正対象書類名】明細書
【補正対象項目名】００１８
【補正方法】変更
【補正の内容】
【００１８】
また本発明の卵の発育状態判定装置は、被験者の外部皮膚に接触する電極対と、その電極対間の生体電気インピーダンスを測定するためのインピーダンス測定手段と、測定された生体電気インピーダンスを記憶しておく記憶手段と、現在の生体電気インピーダンスと記憶手段に記憶された過去の相対期における生体電気インピーダンスとを比較する比較手段と、比較結果に基づいて被験者の卵の発育状態を推定する推定手段と、推定手段からの卵の発育状態に関する結果を報知する報知手段とを備える。
【手続補正８】
【補正対象書類名】明細書
【補正対象項目名】００２０
【補正方法】変更
【補正の内容】
【００２０】
また本発明の卵の発育状態判定装置は、更に測定された生体電気インピーダンスを記憶しておく記憶手段を備え、推定されたホルモンの状態が良好であった場合には、測定された現在の生体電気インピーダンスと月経周期における高温期と低温期の関係に基づく記憶手段に記憶された相対期における過去の生体電気インピーダンスとを比較する比較手段を備え、この比較結果も考慮して卵の発育状態を推定する。